(57)【要約】      （修正有）【課題】内部への異物の侵入を防止でき、内部を衛生的に保つことができる陽圧シェルターを提供する。【解決手段】陽圧シェルターは、外部空気が通過可能な下側通気口１６が形成されるシェルターと、シェルターに設置され、前記シェルター内に外部空気を送風する送風ユニット２０とを備える。送風ユニット２０は、シェルターの内圧が外部よりも高くなるように、シェルターに下側通気口１６から外部空気を送風する送風機２１と、下側通気口１６の外側に設けられ、下側通気口１６を通過する外部空気に混入された異物を除去するフィルタ２２とを備える。【選択図】図３
2014043683.tif 000002
【特許請求の範囲】
【請求項１】
外部空気が通過可能な通気口が形成されるシェルターと、前記シェルターに設置され、前記シェルター内に前記外部空気を送風する送風ユニットとを備え、
前記送風ユニットは、
前記シェルターの内圧が外部よりも高くなるように、前記シェルター内に前記通気口から前記外部空気を送風する送風機と、
前記通気口の外側に設けられ、前記通気口を通過する前記外部空気に混入された異物を除去するフィルタと
を備えることを特徴とする陽圧シェルター。
【請求項２】
請求項１に記載の陽圧シェルターであって、
前記送風ユニットは、前記フィルタに付着された前記異物を取り除いて前記フィルタを再生するフィルタ再生部をさらに備えることを特徴とする陽圧シェルター。
【請求項３】
請求項１又は請求項２に記載の陽圧シェルターであって、
前記シェルターには、前記シェルター内の内部空気が排出される排出口が形成されており、
前記排出口には、前記内部空気を排出可能であるとともに前記外部空気の進入を防止する逆止弁が設けられることを特徴とする陽圧シェルター。
【請求項４】
請求項１乃至請求項３の何れかに記載の陽圧シェルターであって、
前記送風ユニットは、前記フィルタ再生部を起動させる制御部をさらに備え、
前記制御部は、所定時間ごとに前記フィルタ再生部を駆動させることを特徴とする陽圧シェルター。
【請求項５】
請求項１乃至請求項３の何れかに記載の陽圧シェルターであって、
前記送風ユニットは、前記フィルタ再生部を起動させる制御部と、前記フィルタの異常を検知する異常検知部とをさらに備え、
前記制御部は、前記異常検知部が異常を検知した場合に前記フィルタ再生部を駆動させることを特徴とする陽圧シェルター。
【発明の詳細な説明】
【技術分野】
【０００１】
本発明は、内圧が外部よりも高くなる陽圧シェルターに関する。
【背景技術】
【０００２】
一般的に、シェルターは、工事現場の仮設事務所や、地上デジタル中継及び携帯電話などの無線中継通信装置、或いは環境観察装置、暖冷装置などの電気機器を収納する建造物（コンテナとも言う場合がある）などに使用される。この種のシェルターは、床材となるベース部材に壁面パネルを立設し、この壁面パネルに天井を落とし込むことによって組み立てられる（例えば、特許文献１参照）。
【先行技術文献】
【特許文献】
【０００３】
【特許文献１】特開平７−３２４４９８号公報
【発明の概要】
【発明が解決しようとする課題】
【０００４】
ところで、近年において、シェルター内を衛生的に保つ（例えば、シェルター内に収容される電気機器の不具合を生じ難くする）ために、シェルター内へ塵や埃などの異物の侵入をできる限り防止することが求められている。
【０００５】
しかし、上述した従来のシェルターでは、ベース部材と壁面パネルとの隙間や、壁面パネルと天井との隙間から異物が侵入するおそれがあり、異物の侵入を防止する技術については、未だ開発されていないのが現状である。
【０００６】
そこで、本発明は、上述した課題を解決すべくなされたものであり、内部への異物の侵入を防止でき、内部を衛生的に保つことができる陽圧シェルターの提供を目的とする。
【課題を解決するための手段】
【０００７】
上述した課題を解決するため、本発明は、次のような特徴を有している。まず、本発明の第１の特徴は、外部空気が通過可能な通気口が形成されるシェルターと、前記シェルターに設置され、前記シェルター内に前記外部空気を送風する送風ユニットとを備え、前記送風ユニットは、前記シェルターの内圧が外部よりも高くなるように、前記シェルター内に前記通気口から前記外部空気を送風する送風機と、前記通気口の外側に設けられ、前記通気口を通過する前記外部空気に混入された異物を除去するフィルタとを備えることを要旨とする。
【０００８】
かかる特徴によれば、通気口を通過する外部空気に混入された異物を除去するフィルタが設けられることによって、通気口を通過する外部空気に塵や埃などの異物が混在している場合でも、シェルター内へ異物の侵入を防止できる。このため、シェルター内を衛生的に保つことができ、シェルター内に収容される電気機器の不具合（例えば、短絡等による故障）を生じ難くすることができる。
【０００９】
その上、シェルターの内圧が外部よりも高くなるように外部空気を送風する送風機が設けられていることによって、ベース部材と壁面パネルとの隙間や、壁面パネルと天井との隙間から異物が進入し難くなるため、シェルター内をより衛生的に保つことできる。
【００１０】
その他の本発明の特徴として、前記送風ユニットは、前記フィルタに付着された前記異物を取り除いて前記フィルタを再生するフィルタ再生部をさらに備えるものであってもよい。
【００１１】
かかる特徴によれば、フィルタを再生するフィルタ再生部が設けられることによって、フィルタに付着した異物を取り除け、フィルタの交換コストの削減を実現することができる。
【００１２】
その他の本発明の特徴として、前記シェルターには、前記シェルター内の内部空気が排出される排出口が形成されており、前記排出口には、前記内部空気を排出可能であるとともに前記外部空気の進入を防止する逆止弁が設けられることを要旨とする。
【００１３】
かかる特徴によれば、排出口に逆止弁が設けられることによって、シェルター内へ異物の侵入を確実に防止できるため、シェルター内をより衛生的に保つことができる。
【００１４】
その他の本発明の特徴として、前記送風ユニットは、前記フィルタ再生部を起動させる制御部をさらに備え、前記制御部は、所定時間ごとに前記フィルタ再生部を駆動させるものであってもよい。
【００１５】
かかる特徴によれば、制御部が所定時間ごとにフィルタ再生部を駆動させることによって、フィルタに付着した異物を自動的に取り除けるため、フィルタの交換コストがより低減する。
【００１６】
その他の本発明の特徴として、前記送風ユニットは、前記フィルタ再生部を起動させる制御部と、前記フィルタの異常を検知する異常検知部とをさらに備え、前記制御部は、前記異常検知部が異常を検知した場合に前記フィルタ再生部を駆動させるものであってもよい。
【００１７】
かかる特徴によれば、制御部は異常検知部が異常を検知した場合にフィルタ再生部を駆動させることによって、フィルタが汚染された際に自動的に異物を取り除けるため、フィルタの交換コストがより低減する。
【発明の効果】
【００１８】
本発明の特徴によれば、内部への異物の侵入を防止でき、内部を衛生的に保つことができる陽圧シェルターを提供することができる。
【図面の簡単な説明】
【００１９】
【図１】図１は、実施形態に係る陽圧シェルターを示す概略斜視図である。
【図２】図２は、図１のＡ−Ａ断面図である。
【図３】図３は、図１のＢ部分の拡大斜視図である。
【図４】図４（ａ）は、実施形態に係る通常状態を示す図（図１のＣ−Ｃ断面図）であり、図４（ｂ）は、実施形態に係るフィルタ再生状態を示す図（図１のＣ−Ｃ断面図）である。
【図５】図５は、変更例１に係る送風ユニットを示す斜視図である。
【図６】図６は、変更例２に係る陽圧シェルターを示す概略斜視図である。
【図７】図７（ａ）は、変更例２に係る通常状態を示す図（図６のD−Ｄ断面図）であり、図７（ｂ）は、変更例２に係るフィルタ再生状態を示す図（図６のD−Ｄ断面図）である。
【図８】図８は、変更例２に係る陽圧シェルターの一部を示す断面図（図６のD−Ｄ断面図に対応した図）である。
【発明を実施するための形態】
【００２０】
次に、本発明に係る陽圧シェルターの実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００２１】
（陽圧シェルターの構成）
まず、本実施形態に係る陽圧シェルター１の構成について、図面を参照しながら説明する。図１は、本実施形態に係る陽圧シェルター１を示す概略斜視図である。図２は、図１のＡ−Ａ断面図である。図３は、図１のＢ部分の拡大斜視図である。図４（ａ）及び図４（ｂ）は、図１のＣ−Ｃ断面図である。
【００２２】
図１〜図４に示すように、陽圧シェルター１は、工事現場の仮設事務所や、地上デジタル中継及び携帯電話などの無線中継通信装置、或いは環境観察装置、暖冷装置などの電気機器を収納する建造物（コンテナとも言う場合がある）などに使用され、内圧が外部よりも高くなるようにしたものである。陽圧シェルター１は、電気機器（不図示）を収納する略箱状のシェルター１０と、シェルター１０に設置されてシェルター１０内に外部空気を送風する送風ユニット２０とを備えている。
【００２３】
シェルター１０は、床材となるベース部材１１に複数の壁面パネル１２（前面パネル１２Ａ、背面パネル１２Ｂ、側面パネル１２Ｃ，１２Ｄ）を立設し、前面パネル１２Ａにドア１３等を取り付けた後に天井１４を落とし込むことによって組み立てられる。
【００２４】
シェルター１０には、天井１４側に設けられる上側通気口１５と、ベース部材１１（床側）に設けられる下側通気口１６とが形成されている。これらの上側通気口１５及び下側通気口１６には、外部空気や内部空気が通過可能となっている。
【００２５】
上側通気口１５は、図２に示すように、シェルター１０の前側に位置する前面パネル１２Ａ（ドア１３が形成された壁面パネル１２）と天井１４との間に形成されている。下側通気口１６は、図１及び図３に示すように、ベース部材１１の角部に設けられており、ベース部材１１の角部には、回転取手１７Ａが取り付けられた回動扉１７が設けられ、この回動扉１７に下側通気口１６が複数形成されている。下側通気口１６の下側（床下）には、外部空気や内部空気が通過する空気流路１８（図４参照）が設けられている。
【００２６】
送風ユニット２０は、シェルター１０の内圧が外部よりも高くさせるものである。送風ユニット２０は、送風機２１と、フィルタ２２と、フィルタ再生部２３と、コントロール装置２４（制御部）とを備えている。
【００２７】
送風機２１は、下側通気口１６の下側で空気流路１８（図４参照）内に配置されている。送風機２１は、シェルター１０の内圧が外部よりも高くする状態（以下、通常状態）において、シェルター１０内に下側通気口１６から外部空気を送風する。或いは、送風機２１は、フィルタ２２を再生する状態（以下、フィルタ再生状態）において、シェルター１０内の内部空気を下側通気口１６からフィルタ２２に向けて送風する。送風機２１は、コントロール装置２４に接続されたモータ２１Ａと、モータ２１Ａの回転軸２１Ｃ（図４参照）を中心に回転するファン２１Ｂとによって構成されている。
【００２８】
フィルタ２２は、下側通気口１６の下側（シェルター１０の外側）、かつ送風機２１の下側で空気流路１８（図４参照）内に配置されている。フィルタ２２は、取付枠２７の窓部２７Ａ（図３参照）に取り付けられている。フィルタ２２は、下側通気口１６を通過する外部空気に混入された異物（塵や埃など）を除去、すなわち、下側通気口１６からの異物の進入を防止している。
【００２９】
フィルタ再生部２３は、コントロール装置２４に接続されて取付枠２７に取り付けられている。フィルタ再生部２３は、フィルタ２２に付着された異物を取り除いてフィルタ２２を再生する。フィルタ再生部２３は、フィルタ再生状態で駆動するようになっている。本実施形態では、フィルタ再生部２３は、取付枠２７を機械的に振動させる振動装置によって構成されている。
【００３０】
コントロール装置２４は、電源２８やモータ２１Ａ、フィルタ再生部２３に接続されている（図３参照）。コントロール装置２４は、モータ２１Ａの回動（ファン２１Ｂの回転速度や回転方向など）や、フィルタ再生部２３の振動を制御している。コントロール装置２４は、所定時間（例えば、２４時間）ごとにフィルタ再生部２３を起動させる。
【００３１】
（送風ユニットの動作）
次に、上述した送風ユニット２０の動作について、図４を参照しながら説明する。なお、送風ユニット２０の動作としては、上述したように、シェルター１０の内圧が外部よりも高くする状態（通常状態）と、フィルタ２２を再生する状態（フィルタ再生状態）とが含まれる。
【００３２】
（通常状態）
通常状態は、フィルタ再生状態でないときに常に行われている。この通常状態では、図４（ａ）に示すように、コントロール装置２４は、下側通気口１６からシェルター１０内に外部空気を送風するように送風機２１を制御する。つまり、シェルター１０内に下側通気口１６から外部空気を送風する方向にモータ２１Ａの回動軸（ファン２１Ｂ）が回動する。
【００３３】
このとき、シェルター１０の内圧が外部よりも高くなるようになっている。例えば、下側通気口１６から送風される外部空気よりも、上側通気口１５から排出される内部空気が少なくなるようになっている。
【００３４】
（フィルタ再生状態）
フィルタ再生状態は、所定時間（例えば、２４時間）ごとに行われる。このフィルタ再生状態では、図４（ｂ）に示すように、コントロール装置２４は、シェルター１０内の内部空気を下側通気口１６から排出するように送風機２１を制御し、その状態でフィルタ再生部２３が取り付けられた取付枠２７を振動させる。これにより、フィルタ２２に付着された異物が落下して、フィルタ２２から異物を取り除かれて再生される。
【００３５】
（作用・効果）
以上説明した本実施形態では、下側通気口１６を通過する外部空気に混入された異物を除去するフィルタ２２が設けられることによって、下側通気口１６を通過する外部空気に塵や埃などの異物が混在している場合でも、シェルター１０内へ異物の侵入を防止できる。このため、シェルター内を衛生的に保つことができ、シェルター１０内に収容される電気機器の不具合（例えば、短絡等による故障）を生じ難くすることができる。
【００３６】
その上、シェルター１０の内圧が外部よりも高くなるように外部空気を送風する送風機２１が設けられていることによって、ベース部材１１と壁面パネル１２との隙間や、壁面パネル１２と天井１４との隙間から異物が進入し難くなるため、シェルター１０内をより衛生的に保つことできる。
【００３７】
本実施形態では、フィルタ２２を再生するフィルタ再生部２３が設けられることによって、フィルタ２２に付着した異物を取り除け、フィルタ２２の交換コストの削減を実現することができる。
【００３８】
本実施形態では、コントロール装置２４が所定時間ごとにフィルタ再生部２３を駆動させることによって、フィルタ２２に付着した異物を自動的に取り除けるため、フィルタ２２の交換コストがより低減する。
【００３９】
本実施形態では、送風機２１が下側通気口１６の下側に配置されることによって、送風機２１が下側通気口１６の上側などのシェルター１０内に配置される場合と比較して、シェルター１０内のスペースを確保できる。
【００４０】
（変更例）
次に、上述した実施形態に係る陽圧シェルター１の変更例について、図面を参照しながら説明する。なお、上述した実施形態に係る陽圧シェルター１と同一部分には同一の符号を付して、相違する部分を主として説明する。
【００４１】
（変更例1）
まず、変更例１に係る陽圧シェルター１における送風ユニット２０の構成について、図面を参照しながら説明する。図５は、変更例１に係る送風ユニット２０を示す斜視図（図３に対応した図）である。
【００４２】
変更例１では、フィルタ再生状態が行われる周期が異なっており、フィルタ再生状態は、フィルタ２２が汚染された際に行われる。具体的には、図５に示すように、送風ユニット２０は、送風機２１、フィルタ２２、フィルタ再生部２３、コントロール装置２４（制御部）に加えて、異常検知部２５を備えている。
【００４３】
異常検知部２５は、フィルタ２２の汚染度合いなどの異常を検知する。異常検知部２５は、フィルタ２２を通過する外部空気の風量などを検知するセンサや、フィルタ２２の表面を監視するセンサなどによって構成される。
【００４４】
そして、フィルタ再生状態では、コントロール装置２４は、異常検知部２５が異常を検知した場合に、シェルター１０内の内部空気を下側通気口１６から排出するように送風機２１を制御し、その状態でフィルタ再生部２３が取り付けられた取付枠２７を振動させる。
【００４５】
以上説明した変更例１では、上述した実施形態と同様に、シェルター１０内へ異物の侵入を防止でき、シェルター１０内をより衛生的に保つことできる。加えて、コントロール装置２４は異常検知部２５が異常を検知した場合にフィルタ再生部２３を駆動させることによって、フィルタ２２の再生を無駄に行うことなく、フィルタ２２が汚染された際に自動的に異物を取り除けるため、フィルタ２２の交換コストがより低減する。
【００４６】
（変更例２）
次に、変更例２に係る陽圧シェルター１の構成について、図面を参照しながら説明する。図６は、変更例２に係る陽圧シェルター１を示す概略斜視図である。図７及び図８は、図６のＤ−Ｄ断面図である。
【００４７】
変更例２では、上側通気口１５の構成が異なっている。具体的には、図６及び図７に示すように、上側通気口１５は、前面パネル１２Ａと天井１４との間に設けられる内気排出通路１５０（排出口）と、前面パネル１２Ａのドア１３の上側に設けられる外気吸気通路２５０とによって構成されている。
【００４８】
内気排出通路１５０は、シェルター１０内に開口する内側口１５１と、内側口１５１に連通して外部に開口する外側口１５２とを有している。
【００４９】
内側口１５１には、薄肉状（例えば、厚み０．０５ｍｍ）のアルミ箔或いはステンレス箔などからなる逆止弁１５３と、前面パネル１２Ａや天井１４に固定される内側固定パネル１５４とが設けられている。
【００５０】
逆止弁１５３は、一端（図７の右側）が内側固定パネル１５４に固定されており、他端（図７の左側）が自由に可動するようになっている。内側固定パネル１５４は、逆止弁１５３の下側に配置され、逆止弁１５３を支持している。内側固定パネル１５４には、内部空気が通過する内側内気通過孔１５４Ａが形成されている。なお、内側内気通過孔１５４Ａは、円形状や楕円状、長穴状等に形成されていればよく、様々な形状に設定できる。
【００５１】
外側口１５２には、前面パネル１２Ａや天井１４に固定される外側固定パネル１５５が設けられている。外側固定パネル１５５には、内部空気が通過する外側内気通過孔１５５Ａが形成されている。なお、外側内気通過孔１５５Ａは、内側内気通過孔１５４Ａと同様に、円形状や楕円状、長穴状等に形成されていればよく、様々な形状に設定できる。
【００５２】
外気吸気通路２５０は、前面パネル１２Ａに形成されており、シェルター１０内と外部とを連通している。外気吸気通路２５０の周囲には、枠部材２５１が取り付けられている。枠部材２５１の外部側には、固定パネル２５２が設けられている。固定パネル２５２には、外部空気が通過する外気通過穴２５２Ａが形成されている。なお、外気通過穴２５２Ａは、円形状や楕円状、長穴状等に形成されていればよく、様々な形状に設定できる。
【００５３】
外気吸気通路２５０内には、薄肉状（例えば、厚み０．０５ｍｍ）のアルミ箔或いはステンレス箔などからなる逆止弁２５３と、逆止弁２５３よりも外部側に設けられるフィルタ２５４とが設けられている。
【００５４】
逆止弁２５３は、一端（図７の上側）が内側固定パネル１５４に固定されており、他端（図７の下側）が自由に可動するようになっている。フィルタ２５４は、枠部材２５１に取り付けられている。フィルタ２５４は、外気通過穴２５２Ａを通過する外部空気に混入された異物（塵や埃など）を除去、すなわち、外気吸気通路２５０からの異物の進入を防止している。
【００５５】
このような陽圧シェルター１の通常状態では、図７（ａ）に示すように、シェルター１０内に下側通気口１６から外部空気が送風されてシェルター１０の内圧が外部よりも高くなるようになっていることに伴い、内部空気により内気排出通路１５０の逆止弁１５３の一端が浮き上がる。そして、内部空気は、内側内気通過孔１５４Ａから外側内気通過孔１５５Ａに向かって内気排出通路１５０を通過して外部に排出されている。このとき、外気吸気通路２５０の逆止弁２５３が内部空気によりフィルタ２５４側に押圧されるため、外気吸気通路２５０から内部空気が排出されなくなっている。
【００５６】
一方、陽圧シェルター１のフィルタ再生状態では、図７（ｂ）に示すように、シェルター１０内の内部空気が下側通気口１６から排出されることに伴い、外部空気により外気吸気通路２５０の逆止弁２５３の一端が浮き上がる。そして、外部空気は、外気通過穴２５２Ａから外気吸気通路２５０を通過してシェルター１０内に吸気されている。このとき、内気排出通路１５０の逆止弁１５３が外部空気により内側固定パネル１５４側に押圧されるため、内気排出通路１５０から外部空気が吸気されなくなっている。
【００５７】
以上説明した変更例２では、通常状態では内気排出通路１５０を利用して内部空気を外部に排出でき、フィルタ再生状態では外気吸気通路２５０を利用して外部空気をシェルター１０内に吸気できる。このフィルタ再生状態では、外部空気がシェルター１０内に吸気されるが、フィルタ２５４によってシェルター１０内へ異物の侵入を防止でき、シェルター１０内をより衛生的に保つことできる。
【００５８】
ここで、変更例２では、内気排出通路１５０の内側口１５１には、逆止弁１５３と内側固定パネル１５４とが設けられるものとして説明したが、これに限定されるものではない。例えば、図８に示すように、内側固定パネル１５４が設けられていなくてもよい。この場合、逆止弁１５３は、一端（図８の右側）が天井１４に固定されており、他端（図８の左側）が前面パネル１２Ａの上側で自由に可動できるようになっている。なお、内気排出通路１５０の外側口１５２についても、外側固定パネル１５５が設けられていなくてもよい。
【００５９】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００６０】
例えば、本発明の実施形態は、次のように変更することができる。具体的には、ドア１３は、壁面パネル１２に天井１４が落とし込まれる前に前面パネル１２Ａに取り付けられるものとして説明したが、これに限定されるものではなく、壁面パネル１２に天井１４が落とし込まれた後に前面パネル１２Ａに取り付けられてもよい。
【００６１】
また、送風ユニット２０は、必ずしも送風機２１、フィルタ２２、フィルタ再生部２３、コントロール装置２４、異常検知部２５を全て備える必要はなく、送風機２１及びフィルタ２２を備えているものであればよい。
【００６２】
また、上側通気口１５及び下側通気口１６は、天井１４側やベース部材１１に設けられるものとして説明したが、これに限定されるものではなく、壁面パネル１２に設けられていてもよい。この場合、送風ユニット２０は、ベース部材１１の下側（床下）に設けられる必要はなく、下側通気口１６が形成されている部材（例えば、壁面パネル１２）の外側に設けられていてもよい。
【００６３】
また、送風ユニット２０は、ベース部材１１の下側や壁面パネル１２の外側に設けられる必要はなく、ベース部材１１の内部や壁面パネル１２の内部に設けられるものであってもよい。
【００６４】
また、送風機２１は、下側通気口１６の下側に配置されるものとして説明したが、これに限定されるものではなく、下側通気口１６の上側（シェルター１０の内部）に設けられていてもよい。
【００６５】
また、フィルタ２２は、異物を取り除ける機能であればよく、様々な種類や構造に設定できる。同様に、逆止弁１５３や逆止弁２５３は、必ずしも薄肉状のアルミ箔或いはステンレス箔によって形成される必要はなく、その他の板状体（例えば、ゴム材）によって形成されていてもよい。
【００６６】
また、フィルタ再生部２３は、フィルタ２２を機械的に振動する振動装置によって構成されるものとして説明したが、これに限定されるものではなく、フィルタ２２を洗浄する構成であってもよく、フィルタ２２を再生できる構成であればよい。
【００６７】
また、フィルタ２２の下側に、フィルタ再生部２３によってフィルタ２２から落下した異物を受け止める異物受止部が設けられていてもよい。さらに、この異物受止部で受け止めた異物の量が所定以上となった際に作業者に告知するセンサ等が設けられていてもよい。この場合、フィルタ２２の下側（床下）に異物が溜まってしまうことを防止できる。
【００６８】
また、コントロール装置２４が接続された電源２８の電力供給源としては、商用電源であってもよく、或いは、自然エネルギー（例えば、太陽光発電や地熱発電、風力圧電、水力発電）などであってもよい。
【００６９】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００７０】
１…陽圧シェルター
１０…シェルター
１１…ベース部材
１２…壁面パネル
１２Ａ…前面パネル
１２Ｂ…背面パネル
１２Ｃ，１２Ｄ…側面パネル
１３…ドア
１４…天井
１５…上側通気口
１６…下側通気口
１７…回動扉
１８…空気流路
２０…送風ユニット
２１…送風機
２２…フィルタ
２３…フィルタ再生部
２４…コントロール装置（制御部）
２５…異常検知部
１５０…内気排出通路（排出口）
１５１…内側口
１５２…外側口
１５３…可動扉部
１５３…逆止弁
１５４…内側固定パネル
１５４Ａ…内側内気通過孔
１５５…外側固定パネル
１５５Ａ…外側内気通過孔
２５０…外気吸気通路
２５１…枠部材
２５２…固定パネル
２５２Ａ…外気通過穴
２５３…可動扉部
２５３…逆止弁
２５４…フィルタ
【図１】
2014043683.tif 000003
【図２】
2014043683.tif 000004
【図３】
2014043683.tif 000005
【図４】
2014043683.tif 000006
【図５】
2014043683.tif 000007
【図６】
2014043683.tif 000008
【図７】
2014043683.tif 000009
【図８】
2014043683.tif 000010